(57)【特許請求の範囲】
【請求項１】
無線デバイスによって実行される、アップリンク空間分割多元接続（ＳＤＭＡ）送信機会（ＴＸＯＰ）を提供する方法であって、
１つ又は複数の加入者局へ境界画定表示を送ることと、
ＳＤＭＡコンテンションウィンドウを開始することと、
割り振り表示を受け取ることと、
前記割り振り表示に従って、要求されたアップリンクＳＤＭＡ ＴＸＯＰリソースを割り振ることと、
前記ＳＤＭＡコンテンションウィンドウが終了した後にアップリンクＳＤＭＡ ＴＸＯＰを開始することと、
ブロックＡＣＫを前記加入者局へ送ることと、
を備える、方法。
【請求項２】
前記ＳＤＭＡコンテンションウィンドウで衝突を処置することを更に備える、請求項１に記載の方法。
【請求項３】
前記ＳＤＭＡコンテンションウィンドウが終了した後にフィードバックを前記加入者局へ送ることを更に備える、請求項１に記載の方法。
【請求項４】
前記フィードバックが前記加入者局へ送られた後にアップリンクＳＤＭＡ ＴＸＯＰを開始することを更に備える、請求項３に記載の方法。
【請求項５】
前記フィードバックはＳＤＭＡ ＴＸＯＰの割り振りを含む、請求項３に記載の方法。
【請求項６】
前記割り振り表示を受け取った後にＡＣＫを送ることを更に備える、請求項１に記載の方法。
【請求項７】
前記無線デバイスは電気電子技術者協会（ＩＥＥＥ）８０２．１１標準をサポートする、請求項１に記載の方法。
【請求項８】
アップリンク空間分割多元接続（ＳＤＭＡ）送信機会（ＴＸＯＰ）を提供するように構成された無線デバイスであって、
プロセッサと、
前記プロセッサへ結合された回路と、
を備え、
前記回路は、
１つ又は複数の加入者局へ境界画定表示を送り、
ＳＤＭＡコンテンションウィンドウを開始し、
割り振り表示を受け取り、
前記割り振り表示に従って、要求されたアップリンクＳＤＭＡ ＴＸＯＰリソースを割り振り、
前記ＳＤＭＡコンテンションウィンドウが終了した後にアップリンクＳＤＭＡ ＴＸＯＰを開始し、
ブロックＡＣＫを前記加入者局へ送る
ように構成された、無線デバイス。
【請求項９】
前記回路は、前記ＳＤＭＡコンテンションウィンドウで衝突を処置するように更に構成された、請求項８に記載の無線デバイス。
【請求項１０】
前記回路は、前記ＳＤＭＡコンテンションウィンドウが終了した後にフィードバックを前記加入者局へ送るように更に構成された、請求項８に記載の無線デバイス。
【請求項１１】
前記回路は、前記フィードバックが前記加入者局へ送られた後にアップリンクＳＤＭＡ ＴＸＯＰを開始するように更に構成された、請求項１０に記載の無線デバイス。
【請求項１２】
前記フィードバックはＳＤＭＡ ＴＸＯＰの割り振りを含む、請求項１０に記載の無線デバイス。
【請求項１３】
前記回路は、割り振り表示を受け取った後にＡＣＫを送るように更に構成された、請求項８に記載の無線デバイス。
【請求項１４】
電気電子技術者協会（ＩＥＥＥ）８０２．１１標準をサポートする、請求項８に記載の無線デバイス。
【請求項１５】
アップリンク空間分割多元接続（ＳＤＭＡ）送信機会（ＴＸＯＰ）を提供するように構成された装置であって、
１つ又は複数の加入者局へ境界画定表示を送る手段と、
ＳＤＭＡコンテンションウィンドウを開始する手段と、
割り振り表示を受け取る手段と、
前記割り振り表示に従って、要求されたアップリンクＳＤＭＡ ＴＸＯＰリソースを割り振る手段と、
前記ＳＤＭＡコンテンションウィンドウが終了した後にアップリンクＳＤＭＡ ＴＸＯＰを開始する手段と、
ブロックＡＣＫを前記加入者局へ送る手段と、
を備える、装置。
【請求項１６】
アップリンク空間分割多元接続（ＳＤＭＡ）送信機会（ＴＸＯＰ）を提供するためのコンピュータプログラムであって、
１つ又は複数の加入者局へ境界画定表示を送るコードと、
ＳＤＭＡコンテンションウィンドウを開始するコードと、
割り振り表示を受け取るコードと、
前記割り振り表示に従って、要求されたアップリンクＳＤＭＡ ＴＸＯＰリソースを割り振るコードと、
前記ＳＤＭＡコンテンションウィンドウが終了した後にアップリンクＳＤＭＡ ＴＸＯＰを開始するコードと、
ブロックＡＣＫを前記加入者局へ送るコードと、
を備える、コンピュータプログラム。
【発明の詳細な説明】
【関連出願】
【０００１】
本願は、２００８年７月１４日に出願された「保留アップリンクＳＤＭＡ  ＴＸＯＰの割り振りを可能にする別個のコンテンションウィンドウのシステム及び方法」（Systems and Methods for a Separate Contention Window Allowing Allocations for Pending Uplink SDMA TXOP）と題する米国仮特許出願第６１／０８０，６２１号の利益を主張する。
【技術分野】
【０００２】
本開示は、一般的には無線通信システムに関する。更に具体的には、本開示は、保留アップリンク空間分割多元接続（pending uplink spatial division multiple access）（ＳＤＭＡ）送信機会（transmission opportunity）（ＴＸＯＰ）の割り振りを可能にする別個のコンテンションウィンドウのシステム及び方法に関する。
【背景技術】
【０００３】
無線通信デバイスは、消費者の必要を満たすため、及び可搬性及び利便性を改善するため、ますます小さくかつ強力になってきている。消費者は、無線通信デバイス、例えば、携帯電話、パーソナル・ディジタル・アシスタント（ＰＤＡ）、ラップトップコンピュータなどに依存するようになってきている。消費者は、信頼できるサービス、拡張されたカバレージエリア、及び増進された機能性を期待するようになってきている。無線通信デバイスは、移動局、加入者局、アクセス端末、遠隔局、ユーザ端末、端末、加入者ユニット、ユーザ機器などと呼ばれる。本明細書では、「加入者局」の用語が使用される。
【０００４】
無線通信システムは、複数のセルに通信を提供する。セルの各々は、基地局によってサービスされる。基地局は、移動局と通信する固定局でありうる。基地局は、代替としてアクセスポイント又は幾つかの他の用語で呼ばれる。
【０００５】
加入者局は、アップリンク及びダウンリンクの伝送によって１つ又は複数の基地局と通信しうる。アップリンク（又は逆方向リンク）は、加入者局から基地局への通信リンクを指し、ダウンリンク（又は順方向リンク）は、基地局から加入者局への通信リンクを指す。無線通信システムは、複数の加入者局の通信を同時にサポートする。
【０００６】
無線通信システムは、利用可能なシステムリソース（例えば、帯域幅及び送信電力）を共有することによって多数のユーザとの通信をサポートできる多元接続システムである。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、及び空間分割多元接続（ＳＤＭＡ）を含む。
【０００７】
ＩＥＥＥ８０２．１１グループは、現在、ＶＨＴ（超高スループット）の名称のもとで、８０２．１１の新しい高速バージョンの標準化を調査している。ＳＤＭＡ及びＯＦＤＭＡのように、衝突を引き起こすことなく複数の伝送が並列に起こることを可能にする技術が、このグループで考察されている。
【図面の簡単な説明】
【０００８】
【図１】図１は、複数の加入者局と無線で電子通信するアクセスポイントを含むシステムを示す。
【図２】図２は、アクセスポイントがフィードバックを提供しない場合の、ＳＤＭＡコンテンションウィンドウ及びアップリンクＳＤＭＡ  ＴＸＯＰにおけるアクセスポイントと複数の加入者局との間の伝送スキームのシステムを示す。
【図３】図３は、アクセスポイントがＳＤＭＡコンテンションウィンドウの終了時にフィードバックを加入者局へ提供する場合の、ＳＤＭＡコンテンションウィンドウ及びアップリンクＳＤＭＡ  ＴＸＯＰにおけるアクセスポイントと複数の加入者局との間の伝送スキームのシステムを示す。
【図４】図４は、アクセスポイントが各割り振り表示の後でフィードバックを加入者局へ提供する場合の、ＳＤＭＡコンテンションウィンドウ及びアップリンクＳＤＭＡ  ＴＸＯＰにおけるアクセスポイントと複数の加入者局との間の伝送スキームのシステムを示す。
【図５】図５は、固定長ＳＤＭＡコンテンションウィンドウ及びアップリンクＳＤＭＡ  ＴＸＯＰにおけるアクセスポイントと複数の加入者局との間の伝送スキームのシステムを示す。
【図６】図６は、強化分散チャネル・アクセス（ＥＤＣＡ）を有するアップリンクＳＤＭＡ伝送スキームのシステムを示す。
【図７】図７は、並列要求能力を有するアップリンクＳＤＭＡ伝送スキームのシステムを示す。
【図８】図８は、保留アップリンクＳＤＭＡ  ＴＸＯＰの割り振りを可能にする別個のコンテンションウィンドウの方法を示す流れ図である。
【図８ａ】図８ａは、図８の方法に対応する手段プラス機能のブロックを示す。
【図９】図９は、コンテンションウィンドウの終了時にアクセスフィードバックが存在する場合の、保留アップリンクＳＤＭＡ  ＴＸＯＰの割り振りを可能にする別個のコンテンションウィンドウの方法を示す流れ図である。
【図９ａ】図９ａは、図９の方法に対応する手段プラス機能のブロックを示す。
【図１０】図１０は、割り振り表示の受信後に肯定応答が存在する場合の、保留アップリンクＳＤＭＡ  ＴＸＯＰの割り振りを可能にする別個のコンテンションウィンドウの方法を示す流れ図である。
【図１０ａ】図１０ａは、図１０の方法に対応する手段プラス機能のブロックを示す。
【図１１】図１１は、境界画定表示の様々なコンポーネントを示すブロック図である。
【図１２】図１２は、割り振り表示の様々なコンポーネントを示すブロック図である。
【図１３】図１３は、無線デバイスで利用される様々なコンポーネントを示す。
【詳細な説明】
【０００９】
アップリンク空間分割多元接続（ＳＤＭＡ）送信機会（ＴＸＯＰ）を提供する方法が説明される。方法は無線デバイスによって実行される。１つ又は複数の加入者局へ境界画定表示（demarcation indication）が送られる。ＳＤＭＡコンテンションウィンドウが始まる。割り振り表示（allocation indication）が受け取られる。要求されたアップリンクＳＤＭＡ  ＴＸＯＰリソースは、割り振り表示に従って割り振られる。ＳＤＭＡコンテンションウィンドウで衝突が処置される。ＳＤＭＡコンテンションウィンドウが終了した後、アップリンクＳＤＭＡ  ＴＸＯＰが始まる。
【００１０】
ブロックＡＣＫが加入者局へ送られる。ＳＤＭＡコンテンションウィンドウが終了した後、フィードバックが加入者局へ送られる。フィードバックが加入者局へ送られた後に、アップリンクＳＤＭＡ  ＴＸＯＰが始まる。フィードバックはＳＤＭＡ  ＴＸＯＰの割り振りを含む。割り振り表示を受け取った後、ＡＣＫが送られる。無線デバイスは、電気電子技術者協会（ＩＥＥＥ）８０２．１１の標準をサポートする。
【００１１】
アップリンク空間分割多元接続（ＳＤＭＡ）送信機会（ＴＸＯＰ）を提供するように構成された無線デバイスも説明される。無線デバイスはプロセッサを含む。無線デバイスは、前記プロセッサへ結合された回路も含む。回路は、境界画定表示を１つ又は複数の加入者局へ送るように構成されている。回路は、ＳＤＭＡコンテンションウィンドウを開始するように更に構成されている。回路は、割り振り表示を受け取るように更に構成されている。回路は、割り振り表示に従って、要求されたアップリンクＳＤＭＡ  ＴＸＯＰリソースを割り振るように更に構成されている。
【００１２】
アップリンク空間分割多元接続（ＳＤＭＡ）送信機会（ＴＸＯＰ）を提供するように構成された装置が説明される。装置は、境界画定表示を１つ又は複数の加入者局へ送る手段を含む。装置は、ＳＤＭＡコンテンションウィンドウを開始する手段も含む。装置は、割り振り表示を受け取る手段を更に含む。装置は、割り振り表示に従って、要求されたアップリンクＳＤＭＡ  ＴＸＯＰリソースを割り振る手段も含む。
【００１３】
アップリンク空間分割多元接続（ＳＤＭＡ）送信機会（ＴＸＯＰ）を提供するコンピュータ・プログラム・プロダクトが説明される。コンピュータ・プログラム・プロダクトはコンピュータ読み取り可能媒体を含むことができ、コンピュータ読み取り可能媒体は、この上に命令を有する。命令は、境界画定表示を１つ又は複数の加入者局へ送るコードを含む。命令は、ＳＤＭＡコンテンションウィンドウを開始するコードも含みうる。命令は、割り振り表示を受け取るコードを更に含みうる。命令は、割り振り表示に従って、要求されたアップリンクＳＤＭＡ  ＴＸＯＰリソースを割り振るコードも含みうる。
【００１４】
アップリンク空間分割多元接続（ＳＤＭＡ）送信機会（ＴＸＯＰ）を提供する方法も説明される。割り振り表示が受け取られうる。要求されたアップリンクＳＤＭＡ  ＴＸＯＰリソースは、割り振り表示に従って割り振られうる。
【００１５】
アップリンク空間分割多元接続（ＳＤＭＡ）送信機会（ＴＸＯＰ）を提供するように構成された無線デバイスが説明される。無線デバイスはプロセッサを含みうる。無線デバイスは、前記プロセッサへ結合された回路を含みうる。回路は、割り振り表示を受け取るように構成されうる。回路は、割り振り表示に従って、要求されたアップリンクＳＤＭＡ  ＴＸＯＰリソースを割り振るように更に構成されうる。
【００１６】
アップリンク空間分割多元接続（ＳＤＭＡ）送信機会（ＴＸＯＰ）を提供するように構成された装置が説明される。装置は、割り振り表示を受け取る手段を含みうる。装置は、割り振り表示に従って、要求されたアップリンクＳＤＭＡ  ＴＸＯＰリソースを割り振る手段も含みうる。
【００１７】
アップリンク空間分割多元接続（ＳＤＭＡ）送信機会（ＴＸＯＰ）を提供するコンピュータ・プログラム・プロダクトも説明される。コンピュータ・プログラム・プロダクトはコンピュータ読み取り可能媒体を含むことができ、コンピュータ読み取り可能媒体は、この上に命令を有する。命令は、割り振り表示を受け取るコードを含みうる。命令は、割り振り表示に従って、要求されたアップリンクＳＤＭＡ  ＴＸＯＰリソースを割り振るコードをも含みうる。
【００１８】
アップリンク空間分割多元接続（ＳＤＭＡ）送信機会（ＴＸＯＰ）を提供する方法が説明される。方法は、無線デバイスによって実行されうる。アップリンクＳＤＭＡ要求（ＵＳＲ）が受け取られうる。要求されたアップリンクＳＤＭＡ  ＴＸＯＰリソースは、ＵＳＲに従って割り振られうる。ＵＳＲフレームに応答して、ＡＣＫフレームが送られうる。十分なリソースが割り振られたとき、アップリンクＳＤＭＡ  ＴＸＯＰが始まりうる。十分な時間が満了したときにも、アップリンクＳＤＭＡ  ＴＸＯＰが始まりうる。割り振りフレームを送ることによっても、アップリンクＳＤＭＡ  ＴＸＯＰが始まりうる。
【００１９】
アップリンクＳＤＭＡ  ＴＸＯＰは、割り振りフレームをＡＣＫフレームへ統合することによって始まりうる。ＡＣＫフレームを送った後の短いフレーム間スペース（ＳＩＦＳ）で割り振りフレームを送ることによっても、アップリンクＳＤＭＡ  ＴＸＯＰが始まりうる。ＵＳＲフレームはＲＴＳフレームであってもよく、ＡＣＫフレームはＣＴＳフレームでありうる。
【００２０】
アップリンク空間分割多元接続（ＳＤＭＡ）送信機会（ＴＸＯＰ）を提供する方法も開示される。方法は無線デバイスによって実行されうる。アップリンクＳＤＭＡ要求（ＵＳＲ）が送信されうる。ＵＳＲフレームに応答して、ＡＣＫフレームが受け取られうる。割り振りフレームが受け取られうる。割り振りフレームに従って、アップリンクデータが送信されうる。ＵＳＲフレームに応答してＡＣＫが受け取られたとき、バックオフが停止される。アップリンクＳＤＭＡ  ＴＸＯＰが起った後、バックオフが再開されうる。ＵＳＲフレームが送信された後にも、バックオフが再開されうる。
【００２１】
電気電子技術者協会（ＩＥＥＥ）８０２．１１作業グループは、２．４ＧＨｚ及び５ＧＨｚ公開スペクトル帯域における無線ローカル・エリア・ネットワーク（ＷＬＡＮ）コンピュータ通信の公式標準の準備を目指している。
【００２２】
図１は、複数の加入者局１０４と無線で電子通信しているアクセスポイント１０２を含むシステム１００を示す。アクセスポイント１０２は基地局でありうる。加入者局１０４は、移動局、例えば、携帯電話及び無線ネットワークカードでありうる。
【００２３】
アクセスポイント１０２は、加入者局１０４の各々と電子的に通信しうる。例えば、アクセスポイント１０２は、ダウンリンク送信１１２によって加入者局１０４へ電子通信を送りうる。同様に、加入者局１０４は、アップリンク送信１１０によってアクセスポイント１０２へ電子通信を送りうる。加入者局１０４は、この特定の加入者局１０４へ向けられない送信をアクセスポイント１０２から受信しうる。例えば、アクセスポイント１０２は、加入者局２  １０４ｂによっても受け取られるダウンリンク送信１１０を加入者局１  １０４ａへ送りうる。同様に、加入者局１０４は、他の加入者局１０４から、他の加入者局１０４へ向けられないアップリンク送信１１０を受け取りうる。例えば、加入者局２  １０４ｂは、加入者局３  １０４ｃによっても受け取られうるアップリンク送信１１０をアクセスポイント１０２へ送りうる。
【００２４】
複数の加入者局１０４は、任意の所与の時間に、単一のアクセスポイント１０２と電子的に通信していることがありうる。したがって、アクセスポイント１０２は、同じ時間フレームの間に、１つを超える加入者局１０４から送信を受け取りうる。そのような通信は、アップリンク方向１１０での並列送信と呼ばれうる。加入者局１０４は、分散チャネルアクセスを使用してアクセスポイント１０２と通信しうる。この通信は、典型的には、ランダムタイミングに基づいてチャネルにアクセスする。このような通信の１つの制約は、アップリンク方向１１０での並列送信が、正確に同じ時間にスタートしなければならないことである。アップリンク方向１１０での並列送信が起こる期間は、ＳＤＭＡ  ＴＸＯＰ（送信機会）と呼ばれる。現在の論述では、ＳＤＭＡ技術が言及されるが、この用語は他の類似の技術を同様にカバーするものと想定される。
【００２５】
図２は、アクセスポイント１０２がフィードバックを提供しない場合の、ＳＤＭＡコンテンションウィンドウ２１０及びアップリンクＳＤＭＡ  ＴＸＯＰ２１２におけるアクセスポイント１０２と複数の加入者局１０４との間の伝送スキームのシステム２００を示す。ＳＤＭＡコンテンションウィンドウ２１０は、保留アップリンクＳＤＭＡ  ＴＸＯＰ２１２のために割り振りが行われ得る期間である。
【００２６】
コンテンションウィンドウ２１０は、ＴＸＯＰ２１２が完全に主張されることを可能にするように十分長くなければならない。短いコンテンションウィンドウ２１０は、ＴＸＯＰ２１２が完全に使用されない結果を生じる。なぜなら、フルチャネルを主張するための十分な割り振り表示が送信されないからである。これは、性能へ負のインパクトを及ぼす。
【００２７】
アクセスポイント１０２は、境界画定表示（ＤＩ）２０２を最初に送信しうる。アクセスポイント１０２は、ダウンリンク送信１１２によって境界画定表示１０２を送信しうる。境界画定表示２０２は、アクセスポイント１０２と電子的に通信している全ての加入者局１０４によって受け取られうる。代替として、アクセスポイント１０２と電子的に通信している加入者局１０４の幾つかは、境界画定表示２０２を受け取らなくてもよい。境界画定表示２０２は、図１１と関連して、この後で一層詳細に論述される。
【００２８】
境界画定表示２０２が送られた後、アクセスポイント１０２のためのＳＤＭＡコンテンションウィンドウ２１０が始まりうる。ＳＤＭＡコンテンションウィンドウ２１０は、境界画定表示２０２が送られた直後に始まりうる。代替として、ＳＤＭＡコンテンションウィンドウ２１０は、プリセット時間遅延が経過した後で始まってもよい。
【００２９】
ＳＤＭＡコンテンションウィンドウ２１０で、加入者局１０４は、割り振り表示（ＡＩ）を送信することによって、保留ＳＤＭＡ  ＴＸＯＰ２１２の一部分を主張することができる。ＳＤＭＡコンテンションウィンドウ２１０は、割り振り表示、可能性としてＡＣＫ、及びＴＸからＲＸへのターンアラウンドタイムを含むのに十分大きいスロット２３０に分割されうる。例えば、割り振り表示の送信が４μｓ（マイクロ秒）であり、ターンアラウンドタイムが５μｓ（１μｓの空気伝搬遅延を含む）である場合には、結果のスロットタイムは９μｓになる。もしＡＣＫが同じく４μｓであれば、スロットサイズは２倍の１８μｓになる。スロットサイズは、割り振り表示が起こらないとき小さくなる。割り振り表示は、アップリンク送信１１０によって送信されうる。アクセスポイント１０２は、割り振り表示を加入者局１０４から受け取りうる。加入者局１０４は、割り振り表示を他の加入者局１０４からも受け取りうる。加入者局１０４は、他の加入者局１０４によって行われた割り振りを追跡しうる。加入者局１０４は、他の加入者局１０４によって行われた割り振りと同じ割り振りを行うことを回避しうる。保留アップリンクＳＤＭＡ  ＴＸＯＰ２１２について、一度、加入者局１０４が割り振りを行えなくなると、加入者局１０４は自分のクリア・チャネル・アセスメント（ＣＣＡ）をビジーへ設定しうる。
【００３０】
アクセスのタイプは、強化分散チャネル・アクセス（ＥＤＣＡ）を含むランダム・コンテンション・ベース・アクセスの任意のタイプであり得る。ＥＤＣＡの場合、ＳＤＭＡコンテンションウィンドウ２１０の中の全てのスロット２３０は、加入者局１０４のためにＴＸＯＰ２１２が完全に割り振られてしまうまで、割り振り表示が受け取られるスロット２３０を含めて、空のスロット２３０であると考えられる（即ち、クリア・チャネル・アセスメント（ＣＣＡ）はビジーでない）。完全に割り振られてしまう時が、ＣＣＡがビジーになる時点であり、コンテンションは次のコンテンションウィンドウ２１０まで延期される。加入者局１０４の能力に依存して、この時点は、異なる加入者局１０４について、コンテンションウィンドウ２１０の異なる段階で到達される。言い換えれば、ＥＤＣＡの場合、コンテンションウィンドウ２１０の最初のスロット２３０は、ＴＸＯＰ２１２が完全に割り振られＣＣＡがビジーになるまで、実際のバックオフ・スロットによって後続されるアービトレーション・フレーム間スペース（ＡＩＦＳ）として解釈される。
【００３１】
１つの構成において、アクセスポイント１０２は、ＳＤＭＡコンテンションウィンドウ２１０でフィードバックを加入者局１０４へ提供しないかもしれない。そのような場合、コンテンションウィンドウ２１０は、２つ以上の割り振り表示の間の、あまりに多くの衝突を回避するため、十分に大きい必要がありうる。スロット２３０の時間は、割り振り表示２０４のサイズに、可能な処理時間及び可能なＴｘ／Ｒｘターンアラウンドタイム２３２をプラスしたものに等してもよい。複数の割り振り表示が同時に送信されたとき、ＳＤＭＡコンテンションウィンドウ２１０で衝突が起こる。アクセスポイント１０２は、衝突する送信を受け取ることができる。しかしながら、割り振り表示の衝突する送信の大部分は、アクセスポイント１０２によって復号され得ない。
【００３２】
チャネル割り振り表示間の衝突は、コンテンションベースチャネルアクセスプロトコルの基本的特性である。衝突の場合、２つの加入者局１０４がチャネルの同じ部分を同時に使用している。これは、衝突副搬送波の受信電力を２倍にし、全ての副搬送波の失敗を引き起こす。それ故に、衝突の効果は悪化する。なぜなら、衝突する送信だけでなく、全ての告知された送信が失敗するからである。衝突する割り振り表示は受信加入者局１０４によって復号されず、従って衝突する割り振りフレームによってチャネルのどの部分が主張されているのか分からない。この場合、安全な仮定は、チャネルが完全に占拠されており、従ってコンテンションウィンドウ２１０の残りの部分についてＣＣＡがビジーであると仮定することである。
【００３３】
この問題の可能な解決は、衝突に続くスロット２３０の中でアクセスポイント１０２に衝突信号（又は新しい境界画定表示２０２）を送信させ、衝突するＴＸＯＰを実際に起こさないでコンテンションウィンドウ２１０を再スタートすることである。これは、送信要求／送信クリア（ＲＴＳ／ＣＴＳ）又はＣＴＳ−ＰＩＦＳ（ポイント調整機能フレーム間スペーシング）が行う方途と同じ方途で、衝突の効率を改善する。衝突加入者局１０４の割り振り表示がアクセスポイント１０２による衝突表示によって後続されたために衝突加入者局１０４が衝突したことを、衝突加入者局１０４は知っている。しかしながら、衝突表示は割り振り表示と衝突する可能性がある。この場合、衝突するＴＸＯＰは回避され得ない。衝突加入者局１０４は、割り振り表示を送信した直後にリセット信号を見る可能性がある。衝突加入者局１０４は、新しいバックオフを選択することに関して、リセット信号を衝突として解釈する可能性がある。
【００３４】
衝突表示の代替は、アクセスポイント１０２からのチャネルアクセス授与表示である。アクセスポイント１０２は、衝突を引き起こさなかったとアクセスポイント１０２が考える全ての加入者局１０４へアクセスを授与する。これは、アップリンクＳＤＭＡ  ＴＸＯＰ２１２の中で可能な割り振りよりも多くの割り振り表示が存在するときにも使用され得る。例えば、６４の可能な割り振り表示が存在し、８つの空間ストリームのみがＳＤＭＡに利用可能である。この場合、アクセスポイント１０２は、割り振り表示からＳＤＭＡストリームへのマッピングを行うことができる。これは、２つの加入者局１０４が同じ割り振り表示を使用しない限り、衝突を防止する。もしアクセスポイント１０２が関与しなければ、８つの異なる割り振り表示のグループが同じ空間ストリームへマップされ、これは衝突の確率を増加する。
【００３５】
アクセスポイント１０２からの授与表示は、ＴＸＯＰ２１２の開始時間を決めるためにも使用される。この場合、コンテンションウィンドウ２１０は、固定長を有する必要はない。しかしながら、授与表示の送信を保護することは有用である。
【００３６】
アクセスポイント１０２が、コンテンションウィンドウ２１０でフィードバックを加入者局１０４へ提供しない場合、加入者局１０４の割り振り表示は、アップリンクＳＤＭＡ  ＴＸＯＰ２１２のどの部分が要求されるかを具体的に表示すべきである。どれくらいのアップリンクＳＤＭＡ  ＴＸＯＰ２１２が必要であるかを表示するだけでは十分でない。各加入者局１０４は、保留アップリンクＳＤＭＡ  ＴＸＯＰ２１２について割り振り表示を監視する。各加入者局１０４は、保留アップリンクＳＤＭＡ  ＴＸＯＰ２１２の現在の割り振りに基づいて、意図された割り振り表示を適応させる。
【００３７】
アップリンクＳＤＭＡ  ＴＸＯＰ２１２の同じ部分を要求する割り振り表示を複数の加入者局１０４が送るときにも、衝突が起こりうる。アクセスポイント１０２がコンテンションウィンドウ２１０でフィードバックを加入者局１０４へ提供しない場合、アップリンクＳＤＭＡ  ＴＸＯＰ２１２の間の衝突は、アップリンクＳＤＭＡ  ＴＸＯＰ２１２における全ての他の送信を潜在的に破壊しうる。もし割り振り表示の間の衝突をアクセスポイント１０２が観察し得るように割り振り表示が設計されるならば、アクセスポイント１０２は、コンテンションウィンドウ２１０を再スタートすることによって、検出された衝突に応答してもよい。代替として、アクセスポイント１０２は、衝突する要求をアップリンクＳＤＭＡ  ＴＸＯＰ２１２の他の部分へ再び割り当てることによって、検出された衝突に応答してもよい。アクセスポイント１０２は、再び競争することを衝突加入者局１０４に促す衝突信号を送ることによって、検出された衝突に応答してもよい。
【００３８】
ＳＤＭＡコンテンションウィンドウ２１０で割り振り表示を受け取った後、割り振り表示を送信した加入者局１０４が追加の割り振り表示を受け取る前に、プリセットＴｘ／Ｒｘターンアラウンドタイム２３２が必要である可能性がある。割り振り表示は、スロット２３０時間フレームで受け取られうる。受け取られた割り振り表示の間に、１つ又は複数の空のスロット２３０が起こる可能性がある。図２で示されるように、割り振り表示１（ＡＩ１）２０４がアクセスポイント１０２によって受け取られた後、割り振り表示２（ＡＩ２）２０６が送信される前に、２つの空のスロット２３０が経過する。受け取られた割り振り表示の間に、１つ又は複数の空のスロット２３０が必要とされるわけではない。図２で示されるように、割り振り表示２  ２０６がアクセスポイント１０２によって受け取られた後では、割り振り表示３（ＡＩ３）２０８がアクセスポイント１０２によって受け取られる前に、空のスロット２３０は経過しない。
【００３９】
ＳＤＭＡコンテンションウィンドウ２１０は、一度、所定の時間量が経過すると終了しうる。代替として、ＳＤＭＡコンテンションウィンドウ２１０は、一度、アップリンクＳＤＭＡ  ＴＸＯＰ２１２の全てが加入者局１０４へ割り振られてしまうと終了しうる。更に代替として、ＳＤＭＡコンテンションウィンドウ２１０は、一度、特定の数の空のスロット２３０が起こると終了しうる。上記で論述したように、もし衝突が起こり、アクセスポイント１０２が衝突を検出するならば、ＳＤＭＡコンテンションウィンドウ２１０は終了しうる。一度、ＳＤＭＡコンテンションウィンドウ２１０が終了すると、アップリンクＳＤＭＡ  ＴＸＯＰ２１２がスタートしうる。アップリンクＳＤＭＡ  ＴＸＯＰ２１２は、アクセスポイント１０２による送信後の固定オフセットでスタートしうる。例えば、アップリンクＳＤＭＡ  ＴＸＯＰ２１２は、境界画定表示２０２が送られた後の固定時間でスタートしうる。代替として、アクセスポイント１０２がＳＤＭＡコンテンションウィンドウ２１０の終了時に送信を送った後に、アップリンクＳＤＭＡ  ＴＸＯＰ２１２がスタートしうる。次いで加入者局１０４は、アップリンクＳＤＭＡ  ＴＸＯＰ２１２の、前に割り振られた部分でデータ送信２１４、２１６、２１８を行うる。
【００４０】
ＳＤＭＡ  ＴＸＯＰ２１２は、異なる時間量を取る不揃いの（staggered）ＴＸＯＰ２１４、２１６、２１８を含みうる。不揃いの送信（staggered transmissions）のスタート時間は、同期されねばならない。終了時間は、多かれ少なかれ同じであることが望ましい。例えば、終了時間は、ほぼ同じであることが望ましい。アクセスポイント１０２は、どの加入者局１０４が自分のチャネル割り振りを変更して時間が埋められるようにするかに基づいて、ＳＤＭＡ  ＴＸＯＰ２１２の目標の長さを設定しうる。必要とされるチャネル割り振り量を決定するため、意図された副搬送波レートとデータ量との組み合わせが使用されうる。
【００４１】
加入者局１０４が割り振り表示を受け取ったとき、加入者局１０４は、同じコンテンションウィンドウ２１０でチャネルの同じ部分を主張することを禁止されうる。もし加入者局１０４が活動中にチャネル割り振りを変更できなければ、たとえ意図された割り振りの小さい部分だけが他の加入者局１０４によって割り振られても、クリア・チャネル・アセスメント（ＣＣＡ）はビジーになりうる。もっと精巧な加入者局１０４は、迅速な割り振り変更を行ってもよい。それ故に、加入者局１０４は更に多くの送信選択肢を有する。
【００４２】
表示されたチャネル割り振りは、空間ストリーム（ＳＤＭＡ）、又は副搬送波（ＯＦＤＭＡ）、又はこれらの組み合わせに関して指定されうる。割り振り表示は基本サービスセット識別（ＢＳＳＩＤ）を必要としなくてもよい。なぜなら、チャネル割り振りはＢＳＳＩＤに関連せず、加入者局１０４の周りの空間領域における全加入者局１０４競争者に関連するからである。オーバーラップするネットワークは、他のネットワークについて行われた割り振りを顧慮すべきである。そうでないと、衝突が起こる。しかしながら、コンテンションウィンドウ２１０はオーバーラップしない。なぜなら、境界画定表示２０２は同時には送信されないからである。
【００４３】
アクセスポイント１０２は、フルチャネルを主張するだけである。なぜなら、同時の送信及び受信は不可能だからである。
【００４４】
ＳＤＣＡ（Staggered Distributed Channel Access）（不揃いの分散チャネルアクセス）は、強化分散チャネル・アクセス（ＥＤＣＡ）と比較して或る余分のオーバヘッドを導入する。なぜなら、ＥＤＣＡコンテンションウィンドウは、通常、システム内の最も短いバックオフに等しいが、ＳＤＣＡコンテンションウィンドウは固定されており、可能性として幾つかのスロットを無駄にするからである。しかしながら、コンテンション／割り振りウィンドウは、依然としてＴＸＯＰの平均長と比較して短いので、追加のオーバヘッドは小さい。更に、不揃いの（staggered）ＴＸＯＰは、長くなる可能性がある。
【００４５】
ＳＤＣＡは、ＥＤＣＡとの完全な逆方向互換性を有しないが、これらの２つは一緒に使用され得る。割り振りフレームは、（もしこれらがレガシーデバイスによって受け取られ得るならば）レガシーデバイスに新しいアービトレーションフレーム間スペース（ＡＩＦＳ）をスタートさせるが、ＳＤＣＡデバイスはバックオフのカウントダウンを継続する。ＣＣＡがＳＤＣＡ局についてビジーになったとき、ＥＤＣＡ局はバックオフのカウントダウンを継続する。アクセスポイント１０２は、活動加入者局１０４の数に基づいて割り振りの比の表示をブロードキャストしてもよい。加入者局１０４は、自分のチャネル割り振りを決定するために、この比を使用しうる。
【００４６】
アップリンクＳＤＭＡ  ＴＸＯＰ２１２が終了した後、アクセスポイント１０２は短いフレーム間スペース（ＳＩＦＳ）２３４にわたってアイドルになる。次いでアクセスポイント１０２は、ＳＤＭＡ  ＴＸＯＰを使用してブロック肯定応答（ブロックＡＣＫ）２３６を複数の加入者局へ同時に送信する。ブロックＡＣＫ２３６は、加入者局１０４についてＡＣＫ２２４、２２６、２２８を含む。次いで、通常のバックオフ２２０の後で、境界画定表示２０２が再び送信される。従って、複数のＳＤＭＡネットワークは崩壊することなくオーバーラップし、ＳＤＭＡコンテンションベースのアクセスはレガシーデバイスと混用され得る。
【００４７】
図３は、アクセスポイントがＳＤＭＡコンテンションウィンドウ３１０の終了時にフィードバック３４０を加入者局１０４へ提供する場合の、ＳＤＭＡコンテンションウィンドウ３１０及びアップリンクＳＤＭＡ  ＴＸＯＰ３１２におけるアクセスポイント１０２と複数の加入者局１０４との間の伝送スキームのシステム３００を示す。アクセスポイント１０２は、境界区画表示３０２を加入者局１０４へ送信する。コンテンションウィンドウ３１０のサイズは、境界画定表示３０２の中で告知される。アクセスポイント１０２は、現在活動している加入者局１０４競争者の数にサイズの数値を基づかせてもよい。
【００４８】
境界画定表示３０２が送られた後、ＳＤＭＡコンテンションウィンドウ３１０がスタートする。アクセスポイント１０２は、最初の割り振り表示ＡＩ１  ３０４を加入者局１  １０４ａから受け取る。アクセスポイント１０２が追加の割り振り表示を受け取り得る前に、プリセットＴｘ／Ｒｘターンアラウンドタイム３３２が満了する。受け取られる割り振り表示の間に、１つ又は複数の空のスロット３３０が起こる可能性がある。次いでアクセスポイント１０２は、２番目の割り振り表示ＡＩ２  ３０６を加入者局２  １０４ｂから受け取る。Ｔｘ／Ｒｘターンアラウンドタイム３３２の後に、アクセスポイント１０２は、３番目の割り振り表示ＡＩ３  ３０８を加入者局３  １０４ｃから即時に受け取る。次いで、ＳＤＭＡコンテンションウィンドウ３１０は終了する。
【００４９】
アクセスポイント１０２からのフィードバックを有しない不揃いの分散チャネルアクセス（ＳＤＣＡ）の１つの欠点は、ネットワーク内の全ての競争加入者局１０４によって割り振り表示が受け取られねばならない事実である。もし競争加入者局１０４が割り振り表示を適正に受け取らないならば、この競争加入者局は保留ＴＸＯＰ３１２を見逃すことになる。この点に関して、コンテンションウィンドウ３１０は短い方が良い。なぜなら、境界画定表示３０２はリセット効果を有するからである。しかし、これはＴＸＯＰ３１２を埋めるという前出の問題と相反目する。アクセスポイント１０２が、ＴＸＯＰ３１２に先行して割り振り授与を送り出すとき、この問題は緩和される。
【００５０】
アクセスポイント１０２は、ＳＤＭＡコンテンションウィンドウ３１０の終了時に、アクセスポイント・フィードバック・フレーム３４０の形式で割り振り授与を送ってもよい。割り振り授与は、アップリンクＳＤＭＡ  ＴＸＯＰ３１２のスケジュール内容を告知し、アップリンクＳＤＭＡ  ＴＸＯＰ３１２での衝突が回避されるようにする。こうして、ＳＤＭＡコンテンションウィンドウ３１０は、余分のアクセスポイント・フィードバック・フレーム３４０というコストで、小さくされる。アップリンクＳＤＭＡ  ＴＸＯＰ３１２での衝突回避は、価値がある。というのは、アップリンクＳＤＭＡ  ＴＸＯＰ３１２は非ＳＤＭＡ  ＴＸＯＰよりも長く、衝突コストが高くなるからである。アップリンクＳＤＭＡ  ＴＸＯＰ３１２での衝突回避は、更に価値がある。なぜなら、アップリンクＳＤＭＡ  ＴＸＯＰ３１２での部分的衝突が、アップリンクＳＤＭＡ  ＴＸＯＰ３１２での全送信を失敗させるからである。
【００５１】
アクセスポイント１０２は、アクセスポイント・フィードバック・フレーム３４０を提供するので、割り振り表示はアップリンクＳＤＭＡ  ＴＸＯＰ３１２で必要とされるリソースの要求量のみを表示し、要求されるアップリンクＳＤＭＡ  ＴＸＯＰ３１２の特定部分を表示しない。次いでアクセスポイント１０２は、リソースの実際の割り振りを加入者局１０４へ割り当てる。アクセスポイント１０２は、アップリンクＳＤＭＡ  ＴＸＯＰ３１２リソースの全てを割り振るので、アクセスポイント１０２のみが割り振り表示を受け取り、加入者局１０４の各々は受け取らない。これはシステム１００の信頼度を改善する。割り振り表示の構造は、衝突する送信が或る状況のもとでアクセスポイント１０２によって受け取られることを可能にする。もしアクセスポイント１０２が、衝突する要求を受け取ったならば、アクセスポイント１０２は、衝突した割り振り表示を有する加入者局１０４へアップリンクＳＤＭＡ  ＴＸＯＰ３１２の異なる部分を割り当てる。
【００５２】
アップリンクＳＤＭＡ  ＴＸＯＰ３１２の割り振りは、衝突する要求を含まない。要求している加入者局１０４は、次のＳＤＭＡコンテンションウィンドウ３１０まで待機して、アップリンクＳＤＭＡ  ＴＸＯＰ３１２リソースの割り振りのために、失敗した要求を再試行しなければならない。利用可能なアップリンクＳＤＭＡ  ＴＸＯＰ３１２の容量を超過した要求は、アクセスポイント・フィードバック・フレーム３４０の中に現れない。アクセスポイント・フィードバック・フレーム３４０の中に現れない要求は、要求している加入者局１０４によって衝突として解釈され、次のＳＤＭＡコンテンションウィンドウ３１０の中で再び送られねばならない。アップリンクＳＤＭＡ  ＴＸＯＰ３１２のスタートは、境界画定表示３０２又はアクセスポイント・フィードバック・フレーム３４０から時間をずらされてもよい。
【００５３】
一度、ＳＤＭＡコンテンションウィンドウ３１０が終了し、アクセスポイント・フィードバック・フレーム３４０が送られると、アップリンクＳＤＭＡ  ＴＸＯＰ３１２がスタートする。次いで加入者局１０４は、アップリンクＳＤＭＡ  ＴＸＯＰ３１２の、前に割り振られた部分でデータ送信３１４、３１６、３１８を行う。アップリンクＳＤＭＡ  ＴＸＯＰ３１２が終了した後、アクセスポイント１０２は、ＳＩＦＳ３３４でアイドルになる。次いでアクセスポイント１０２は、ＳＤＭＡ  ＴＸＯＰを使用してブロックＡＣＫ３３６を複数の加入者局１０４へ同時に送信する。ブロックＡＣＫ３３６は、加入者局１０４のためにＡＣＫ３２４、３２６、３２８を含む。次いで境界画定表示３０２が、通常のバックオフ３２０の後で再び送信される。
【００５４】
図４は、各割り振り表示の後にアクセスポイント１０２がフィードバックを加入者局１０４へ提供する場合の、ＳＤＭＡコンテンションウィンドウ４１０及びアップリンクＳＤＭＡ  ＴＸＯＰ４１２におけるアクセスポイント１０２と複数の加入者局１０４との間の伝送スキームのシステム４００を示す。アクセスポイント１０２は、境界画定表示４０２を加入者局１０４へ送信する。境界画定表示４０２が送られた後、ＳＤＭＡコンテンションウィンドウ４１０がスタートする。アクセスポイント１０２は、最初の割り振り表示ＡＩ１  ４０４を加入者局１  １０４ａから受け取る。アクセスポイント１０２は、フィードバックを加入者局１０４へ送る前に、プリセットＴｘ／Ｒｘターンアラウンドタイム４３２を待機する。割り振り表示の受け取りに費やした時間並びにＴｘ／Ｒｘターンアラウンドタイム４３２は、スロット４３０である。フィードバックは、割り振り表示４０４が受け取られたことを表示するＡＣＫ４５０の形式であってもよい。ＡＣＫ４５０は、最新のアップリンクＳＤＭＡ  ＴＸＯＰ４１２割り振りの要約を含む。ＡＣＫ４５０の送信に費やした時間並びにＴｘ／Ｒｘターンアラウンドタイム４３２は、スロット４３０である。こうして、アクセスポイント１０２は、ＳＤＭＡ  ＴＸＯＰ４１２割り振りを合図することができ、その間に割り振りプロセスは依然として進行中である。ＳＤＭＡコンテンションウィンドウ４１０の中で更に進むことは、アップリンクＳＤＭＡ  ＴＸＯＰ４１２の残りの部分を小さくするので、衝突する要求をアクセスポイント１０２が認識できることは重要である。というのは、ＳＤＭＡ  ＴＸＯＰ４１２の小さくなったアップリンク部分へのコンテンションが増加するからである。
【００５５】
割り振り表示は、２番目ごとのスロットでは送信されない。なぜなら、２番目のスロットはアクセスポイント１０２からのＡＣＫに指定されているからである。割り振り表示は、割り振り表示が送信された後のスロットでは送信されない。なぜなら、このスロットはアクセスポイント１０２からのＡＣＫに指定されているからである。
【００５６】
割り振り表示は、アップリンクＳＤＭＡ  ＴＸＯＰ４１２リソースの要求された割り振りを表示するか、必要とされるリソースの量のみを表示する。ＡＣＫ４５０は、実際の割り振りを含む。もし意図された割り振りが他の加入者局１０４によって占拠されるようになったことが観察されるならば、競争している加入者局１０４は、ＳＤＭＡコンテンションウィンドウ４１０でアップリンクＳＤＭＡ  ＴＸＯＰ４１２の意図された割り振りを変更する。しかしながら、もしアクセスポイント１０２が実際の割り振りを決定するならば、必要とされるリソースの量だけを割り振り表示が含む。アップリンクＳＤＭＡ  ＴＸＯＰ４１２が完全に割り振られたとき、アクセスポイント１０２はＡＣＫ４５０を使用してＳＤＭＡコンテンションウィンドウ４１０を切り捨てる。こうして、アップリンクＳＤＭＡ  ＴＸＯＰ４１２のスタートは、切り捨てるＡＣＫ４５０から時間をずらされてもよい。もし衝突が起こるならば、衝突する要求を送った加入者局１０４は、同じＳＤＭＡコンテンションウィンドウ４１０の一部分として要求を再試行する。これは、アップリンクＳＤＭＡ  ＴＸＯＰ４１２の利用を良好にする結果を導く。
【００５７】
図４の方法に基づき、割り振り表示を送信要求（ＲＴＳ）フレームとして解釈し、ＡＣＫ４５０を送信クリア（ＣＴＳ）フレームとして解釈することによって、強化分散チャネル・アクセス（ＥＤＣＡ）と同じ統計的特性を有するチャネルアクセスメカニズムを作り出すことができる。ＣＴＳに続く実際のデータ送信は、アップリンクＳＤＭＡ  ＴＸＯＰ４１２まで延期される。この場合、境界画定表示４０２は要求されない。ＡＩ／ＡＣＫ交換は、バックオフ割り込みとして解釈される。これはアービトレーションフレーム間スペース（ＡＩＦＳ）が、各々の受け取られたＡＩ／ＡＣＫ交換の後にスタートすることを意味する。アップリンクＳＤＭＡ  ＴＸＯＰ４１２は、これ自身、バックオフ割り込みとして解釈されないだけでなく、空のスロット４３０としても解釈されない。ＡＣＫ４５０が受け取られないとき、通常の再送信手順がスタートする。
【００５８】
もしアップリンクＳＤＭＡ  ＴＸＯＰ４１２は完全に割り振られたが、コンテンションウィンドウ４１０が未だ終了していなければ、アクセスポイント１０２は幾つかの選択肢を有する。アクセスポイント１０２は、加入者局１０４からの成功裏に受け取られた割り振り表示の肯定応答を継続してもよい。この場合、アップリンクＳＤＭＡ  ＴＸＯＰ４１２は失敗するが、アクセスポイント１０２はコンテンションウィンドウ４１０のサイズを最適化し得る。
【００５９】
代替として、アクセスポイント１０２は、成功裏に受け取られた割り振り表示を肯定応答せず、割り振り表示の送信者に衝突を取らせてもよい。この場合、ＳＤＭＡコンテンションウィンドウ４１０のサイズは、動作している平均のコンテンションウィンドウのサイズとマッチする。
【００６０】
代替として、アクセスポイント１０２は、切り捨て表示を加入者局１０４へ送ることによって、アップリンクＳＤＭＡ  ＴＸＯＰ４１２を切り捨ててもよい。ＳＤＭＡコンテンションウィンドウ４１０があまりに長くなり、保留の割り振られる送信について望ましくない待ち時間を引き起こし始めたとき、アクセスポイント１０２はアップリンクＳＤＭＡ  ＴＸＯＰ４１２を切り捨ててもよい。
【００６１】
代替として、アクセスポイント１０２は、更なるアップリンクＳＤＭＡ  ＴＸＯＰ４１２へ追加の要求を割り振ることによって、割り振り要求を肯定応答してもよい。しかしながら、もしコンテンションウィンドウ４１０があまりに長ければ、これは、将来の更なるアップリンクＳＤＭＡ  ＴＸＯＰ４１２へ遅延する割り振りが多くなる結果を生じる。
【００６２】
上記で説明した方法は、延期ＴＸＯＰを有するＲＴＳ／ＣＴＳと呼ばれる。ＲＴＳ／ＣＴＳに勝る１つの利点は、ＡＩ／ＡＣＫ交換の消費時間が少なくなることである。なぜなら、割り振り表示及びＡＣＫ送信がＰＨＹ層の近くで生成されるとき、割り振り表示及びＡＣＫ送信のターンアラウンドタイムが短くなるからである。地理的に近いＷＬＡＮが無線チャネルを共有するオーバーラップ基本サービスセット（ＯＢＳＳ）の場合、アクセスポイント１０２はネットワーク割り振りベクトル（ＮＡＶ）保護を提供するが、加入者局１０４はこの選択肢を有しない。なぜなら、割り振り表示及びＡＣＫはＭＡＣフレームではないからである。
【００６３】
スロット４３０時間は、ＡＩ／ＡＣＫ交換よりも短い。これはＳＤＭＡコンテンションウィンドウ４１０のオーバヘッドを低減する。固定長ＳＤＭＡコンテンションウィンドウ４１０の場合、ＳＤＭＡコンテンションウィンドウ４１０でのスロット４３０の数は、起こるＡＩ／ＡＣＫ交換の数と共に変動する。故に、ＡＩ／ＡＣＫ交換が多くなれば、空のスロット４３０は少なくなる結果を生じる。
【００６４】
ＡＣＫの送信と追加割り振り表示の受信との間には、１つ又は複数の空のスロット４３０が起こる。次いでアクセスポイント１０２は、加入者局２  １０４ｂから２番目の割り振り表示ＡＩ２  ４０６を受け取る。Ｔｘ／Ｒｘターンアラウンドタイム４３２の後に、アクセスポイント１０２はＡＣＫ４５２を送る。アクセスポイント１０２は、加入者局３  １０４ｃから３番目の割り振り表示ＡＩ３  ４０８を受け取る。アクセスポイント１０２はＡＣＫ４５４を送る。次いでＳＤＭＡコンテンションウィンドウ４１０は終了する。
【００６５】
次いで加入者局１０４は、アップリンクＳＤＭＡ  ＴＸＯＰ４１２の、前に割り振られた部分でデータ送信４１４、４１６、４１８を行う。アップリンクＳＤＭＡ  ＴＸＯＰ４１２が終了した後、アクセスポイント１０２はＳＩＦＳ４３４にわたってアイドルになる。次いでアクセスポイント１０２は、ＳＤＭＡ  ＴＸＯＰを使用して複数の加入者局１０４へブロックＡＣＫ４３６を同時に送信する。ブロックＡＣＫ４３６は加入者局１０４のためのＡＣＫ４２４、４２６、４２８を含む。次いで通常のバックオフ４２０の後に、境界画定表示４０２が再び送信される。従って、複数のＳＤＭＡネットワークは崩壊することなくオーバーラップし、ＳＤＭＡコンテンションベースのアクセスは、レガシーデバイスと混用され得る。
【００６６】
図５は、固定長ＳＤＭＡコンテンションウィンドウ５１０及びアップリンクＳＤＭＡ  ＴＸＯＰ５１２におけるアクセスポイント１０２と複数の加入者局１０４との間の伝送スキームのシステム５００を示す。アクセスポイント１０２は、境界画定表示５０２を加入者局１０４へ送信する。境界画定表示５０２が送られた後、ＳＤＭＡコンテンションウィンドウ５１０がスタートする。固定長ＳＤＭＡコンテンションウィンドウ５１０の開始時に、アクセスポイント１０２はＳＩＦＳ５３４にわたってアイドルになる。アクセスポイント１０２は、最初の割り振り表示ＡＩ１  ５０４を加入者局１  １０４ａから受け取る。
【００６７】
もし他の割り振りが依然として加入者局１０４によって行われ得るならば、チャネル割り振り表示が受け取られるスロット５３０は、この加入者局１０４によるバックオフに関して空と考えられる。もし更なる割り振りが加入者局１０４によって行われ得ないならば、コンテンションウィンドウ５１０のこのスロット５３０及び全ての残りのスロット５３０のＣＣＡは、バックオフに関してビジーと想定される。ＡＩＦＳをスタートすることによって、バックオフは保留ＴＸＯＰの後で通常どおりに継続する。固定長ＳＤＭＡコンテンションウィンドウ５１０の更なるスロット５３０で、依然として割り振りを行い得る加入者局１０４は、チャネルの残りの部分を主張し得る。もし割り振り表示が空のスロット５３０として解釈されないならば、競争している加入者局１０４は、各割り振り表示の後で新しいＡＩＦＳをスタートする。これは加入者局１０４へのＴＸＯＰの分配に変更を引き起こす。この場合、チャネルアクセスメカニズムは依然として働くが、チャネルアクセスパラメータを変更して、各加入者局１０４のために公正なチャネルアクセスを達成しなければならない。
【００６８】
アクセスポイント１０２は、異なるスロット５３０で加入者局１０４から割り振り５０４、５０６、５０８を受け取る。割り振り表示の受け取りに費やされる時間は、スロット５３０時間よりも長い。割り振り表示を受け取った後、アクセスポイント１０２は追加の割り振り表示の受け取りの前にＳＩＦＳ５３４にわたってアイドルになる。固定長ＳＤＭＡコンテンションウィンドウ５１０の終了前に、１つ又は複数のバックオフスロット５３８が起こる。
【００６９】
もしＡＩ＋ＳＩＦＳ時間がスロット５３０時間を超過するならば、コンテンションウィンドウ５１０のバックオフスロット５３８の数は、コンテンションウィンドウ５１０で起こる割り振り表示の数と共に変動する（なぜなら、コンテンションウィンドウ５１０の長さは時間に関して固定されており、バックオフスロット５３８の数に関して固定されていないからである）。改善策は、スロット５３０のサイズをＡＩ＋ＳＩＦＳと等しくすることであるが、これは長いスロット５３０時間を暗示する。他の選択肢は、境界画定表示５０２送信ではなく割り振り表示送信に対して、次のＴＸＯＰのスタート時間をずらすことである。しかしながら、これはタイミング問題を引き起こし、隠れたノードとの問題を導入する（なぜなら、割り振り表示は加入者局１０４によって送信され、アクセスポイント１０２によって送信されるのではないからである）。アクセスポイント１０２は事実上ネットワークの中心であるが、加入者局１０４はそうでないので、空気伝搬遅延は長くなる。３番目の選択肢は、割り振り表示が送信されたか否かに基づいてスロット５３０が異なる長さを有することを了解した上で、コンテンションウィンドウ５１０の長さをスロット５３０の数へ設定することである。後者の場合、割り振り表示の送信にカウントされる時間は、割り振り表示の送信によって消費される実際の時間を超過する。なぜなら、割り振り表示の送信は、スロット５３０の開始時に正確に起こるのではないからである（空気伝搬遅延、媒体クセス制御（ＭＡＣ）遅延などに依存する）。最後の選択肢を他の語句で表現すれば、コンテンションウィンドウ５１０で起こる各割り振り表示について、コンテンションウィンドウ５１０はｘμｓ（ｘ≧ＡＩ＋ＳＩＦＳ−スロット時間）だけ拡張される。
【００７０】
次いで加入者局１０４は、アップリンクＳＤＭＡ  ＴＸＯＰ５１２の、前に割り振られた部分でデータ送信５１４、５１６、５１８を行う。アップリンクＳＤＭＡ  ＴＸＯＰ５１２が終了した後、アクセスポイント１０２はＳＩＦＳ５３４にわたってアイドルになる。アクセスポイント１０２は、各ＴＸＯＰ５１２の後に境界画定表示５０２を送信する。もしＴＸＯＰ５１２で送信がスタートしなければ、アクセスポイント１０２は、ポイント制御機能（ＰＣＦ）フレーム間スペース（ＰＩＦＳ）アイドルタイムの後に境界画定表示５０２を送信する。幾つかのコンテンションウィンドウ５１０についてＴＸＯＰ５１２がスタートしなければ、アクセスポイント１０２は、ＴＸＯＰ５１２が起こるまで境界画定表示５０２送信を中止する（これは、境界画定表示５０２及び割り振り表示が存在しなかったための不揃いの（ＳＤＭＡ）送信ではない）。
【００７１】
図６は、ＥＤＣＡを用いるアップリンクＳＤＭＡ伝送スキームのシステム６００を示す。上記で論述した割り振り表示と同じく、アクセスポイント１０２はアップリンクＳＤＭＡ要求（ＵＳＲ）６５６を加入者局１０４から受け取る。ＵＳＲ６５６は通常のＥＤＣＡコンテンションを使用する。ＵＳＲ６５６は通常のＭＡＣプロトコル・データ・ユニット（ＭＰＤＵ）であってもよい。ＵＳＲ６５６は新しい制御サブタイプであってもよい。アクセスポイント１０２は、ＵＳＲ１  ６０４を加入者局１  １０４ａから受け取る。ＳＩＦＳ６３０の後、アクセスポイント１０２はＡＣＫ６５０を加入者局１０４へ送信し、ＳＤＭＡ要求を登録する。ＵＳＲ／ＡＣＫ交換はＲＴＳ／ＣＴＳ交換と同じであるが、例外として、ＵＳＲ／ＡＣＫ交換でのデータ送信はＳＤＭＡ  ＴＸＯＰ６６４まで起こらない。通常のＥＤＣＡと比較したとき、ＳＤＭＡ  ＴＸＯＰ６６４で送信の節減が起こる。なぜなら、送信は逐次ではなく並列で起こるからである。
【００７２】
アクセスポイント１０２は、追加のＵＳＲ６５６フレームを受け取る前にＥＤＣＡバックオフ６６０を待機する。こうして、ＥＤＣＡバックオフ６６０の後、アクセスポイント１０２はＵＳＲ２  ６０６を加入者局２  １０４ｂから受け取る。ＳＩＦＳ６３０の後、アクセスポイント１０２はＵＳＲ２  ６０６についてＡＣＫ６５２を送信し、ＳＤＭＡ要求を登録する。
【００７３】
アップリンクＳＤＭＡ  ＴＸＯＰ６６４に先立って、アクセスポイント１０２は、ＴＸＯＰ６６４の割り振りを指定する割り振りフレーム６５４を送信する。割り振りフレーム６５４は、最後のＵＳＲ６０８に応答して送信され、従って最後のＵＳＲ６０８のＡＣＫの一部分である。割り振りフレーム６５４は、ＡＣＫの後のＳＩＦＳ６３０の後に送信されてもよい。代替として、最後のＵＳＲ６０８が時間どおりに到着しないが、ＳＤＭＡ  ＴＸＯＰ６６４をそれ以上に先送りすべきでないとき、割り振りフレーム６５４がブロードキャストとして送信される。もしＳＤＭＡ  ＴＸＯＰ６６４が開始しないならば（可能性として衝突を表示する）、アクセスポイント１０２は、割り振りフレーム６５４を再送信する。割り振りフレーム６５４を受け取らなかった登録加入者局１０４へアクセスを再授与するため、回復メカニズムが規定される。ＳＤＭＡ  ＴＸＯＰ６６４は、割り振りフレーム６５４の後で固定時間６６２を開始する。割り振りフレーム６５４は、ブロックＡＣＫ（ＢＡ）フレーム６２４、６２６、６２８のスタート時間を表示する。
【００７４】
アップリンクＳＤＭＡは、通常の制御フレームを使用してＵＳＲ６５６フレームを置くことによって、レガシーＥＤＣＡと統合される。ＵＳＲ６５６フレームは、通常のＥＤＣＡを使用して送信される。他の送信６５８、例えば、レガシーＴＸＯＰはＵＳＲ／ＡＣＫフレーム交換と一緒に散在する。
【００７５】
アクセスポイント１０２は、受け取られた要求を追跡し、アップリンクＳＤＭＡ  ＴＸＯＰ６６４が十分に満たされるか、又はアップリンクＳＤＭＡ  ＴＸＯＰ６６４が最早先送りされ得ないとき、割り振りフレーム６５４を送る。割り振りフレーム６５４は、ＵＳＲ６５６へのＳＩＦＳ６３０応答であってもよい。代替として、割り振りフレーム６５４は、ＡＣＫへのＳＩＦＳ６３０継続であってもよい。ＳＤＭＡ  ＴＸＯＰ６６４の時間が来ているのに、この時点でＵＳＲ６５６が到着していないとき、割り振りフレーム６５４はグループ・アドレス・フレームであってもよい。
【００７６】
加入者局１０４が成功裏にＳＤＭＡ  ＴＸＯＰ６６４スロットを予約し、ＴＸＯＰ６６４が加入者局１０４リソースの全てを消費するとき（即ち、追加の空間ストリームが加入者局１０４で利用可能でないとき）、加入者局１０４はＳＤＭＡ  ＴＸＯＰ６６４の後までコンテンションを一時中断する。これは加入者局１０４が同じＳＤＭＡ  ＴＸＯＰ６６４で２つの送信を割り振られることを防止する。このような割り振りは不可能である。代替として、もし成功した要求の後でコンテンションが一時中断されないならば、アクセスポイント１０２は重複する要求を登録し、一致したアップリンクＳＤＭＡ送信を後続のアップリンクＳＤＭＡ  ＴＸＯＰの中でスケジュールする。
【００７７】
ＳＤＭＡ  ＴＸＯＰ６６４において、割り振られたリソースを有する加入者局１０４は、それらの割り振られたリソースに従って送信６１４、６１６、６１８を行う。次いでアクセスポイント１０２は、ＢＡフレーム６２４、６２６、６２８を加入者局１０４へ送る。
【００７８】
図７は、並列要求能力を有するアップリンクＳＤＭＡ伝送スキームのシステム７００を示す。アクセスポイント１０２はＵＳＲ７５８を受け取り、ＡＣＫ７５０を送信する。この図において、ＵＳＲ１  ７０２は、アクセスポイント１０２によって受け取られる。アクセスポイント１０２は、ＡＣＫ７５０を送る前にＳＩＦＳ７３０を待機する。もしＵＳＲ７０４及び７０６が異なる空間ストリームを有するならば、衝突を引き起こすことなく複数のＵＳＲ７０４及び７０６が並列に受け取られる。空間ストリームはランダムに選択される。複数のＵＳＲ７０４及び７０６が並列に受け取られるとき、コンテンションウィンドウは小さくてもよい。しかしながら、複数の空間ストリーム・トレーニング・フィールドが存在しなければならないために、ＵＳＲ７０４及び７０６は長くなってもよい。ＳＩＦＳ７３０の後、アクセスポイント１０２はＡＣＫ７５２及び７５４を並列ＵＳＲ７０４及び７０６の送信者へ送信する。並列要求能力を有する加入者局１０４及び並列要求能力を有しない加入者局１０４が混用されてもよい。最後のＵＳＲ７０８を受け取った後、アクセスポイント１０２は最後のＡＣＫ７５６を送る。最後のＡＣＫ７５６は割り振りフレームを含んでもよい。ＳＤＭＡ  ＴＸＯＰ７６４のスタートの前に、固定タイミング７６２が起こる。ＳＤＭＡ  ＴＸＯＰ７６４では、複数の加入者局１０４がアクセスポイント１０２へデータ送信７１２、７１４、７１６、７１８を行う。ＳＤＭＡ  ＴＸＯＰ７６４では、更にアクセスポイント１０２がブロックＡＣＫ７２２、７２４、７２６、７２８を加入者局１０４へ送信する。並列ＵＳＲ７０４及び７０６は、異なるチャネル又は異なるサブチャネル（ＯＦＤＭＡ）を使用して並列に送信されてもよい。（サブ）チャネルはランダムに選択されてもよい。
【００７９】
図８は、保留アップリンクＳＤＭＡ  ＴＸＯＰ２１２について割り振りを可能にする別個のコンテンションウィンドウ２１０の方法８００を示す流れ図である。アクセスポイント１０２は、８０２で境界画定表示２０２を加入者局１０４へ送る。次いでアクセスポイント１０２は、８０４でＳＤＭＡコンテンションウィンドウ２１０を開始する。次いでアクセスポイント１０２は、ＳＤＭＡコンテンションウィンドウ２１０が閉じたかどうかを８０６で決定する。もしＳＤＭＡコンテンションウィンドウ２１０が閉じていなければ、アクセスポイント１０２は、アクセスポイント１０２が割り振り表示を受け取ったかどうかを８０８で決定する。もしアクセスポイント１０２が割り振り表示を受け取っていなければ、アクセスポイント１０２はＳＤＭＡコンテンションウィンドウ２１０が閉じたかどうかの決定８０６へ戻る。もしアクセスポイント１０２が割り振り表示を受け取ったのであれば、アクセスポイント１０２は衝突が起こったかどうかを８１０で決定する。
【００８０】
もし衝突が起こったのであれば、アクセスポイント１０２は８１２で衝突を処置する。上記で論述したように、アクセスポイント１０２は、多くの方途、例えば、コンテンションウィンドウ２１０の再スタート、衝突した割り振り表示の解読、又は割り振り表示の否定、及び同じコンテンションウィンドウ２１０の継続によって８１２で衝突を処置する。一度、アクセスポイント１０２が衝突を処置すると、アクセスポイント１０２はＳＤＭＡコンテンションウィンドウ２１０が閉じたかどうかの決定８０６へ戻る。
【００８１】
もしアクセスポイント１０２が割り振り表示を受け取っており、衝突が起こっていなければ、アクセスポイント１０２は、８１４で、要求されたアップリンクＳＤＭＡ  ＴＸＯＰ２１２リソースを加入者局１０４へ割り振る。次いでアクセスポイント１０２は、ＳＤＭＡコンテンションウィンドウ２１０が閉じたかどうかの決定８０６へ戻る。
【００８２】
もしＳＤＭＡコンテンションウィンドウ２１０が閉じていれば、アクセスポイント１０２はアップリンクＳＤＭＡ  ＴＸＯＰ２１２を８１６で開始する。アップリンクＳＤＭＡ  ＴＸＯＰ２１２が終了すると、アクセスポイント１０２は８１８でブロックＡＣＫ２３６を加入者局１０４へ送る。次いでアクセスポイント１０２は、８０２で境界画定表示２０２を加入者局１０４へ送る。
【００８３】
上記で説明された方法８００は、図８ａで示される手段プラス機能ブロック８００ａに対応する様々なハードウェア及び／又はソフトウェアコンポーネント及び／又はモジュールによって達成される。言い換えれば、図８で示されるブロック８０２から８１８は、図８ａで示される手段プラス機能ブロック８０２ａから８１８ａまでに対応する。
【００８４】
図９は、コンテンションウィンドウ３１０の終了時にアクセスポイント・フィードバック３４０を用いて保留アップリンクＳＤＭＡ  ＴＸＯＰ３１２の割り振りを可能にする別個のコンテンションウィンドウ３１０の方法９００を示す流れ図である。アクセスポイント１０２は、９０２で境界画定表示３０２を加入者局１０４へ送る。次いでアクセスポイント１０２は、９０４でＳＤＭＡコンテンションウィンドウ３１０を開始する。次いでアクセスポイント１０２は、ＳＤＭＡコンテンションウィンドウ３１０が閉じたかどうかを９０６で決定する。もしＳＤＭＡコンテンションウィンドウ３１０が閉じていなければ、アクセスポイント１０２は、アクセスポイント１０２が割り振り表示を受け取ったかどうかを９０８で決定する。もしアクセスポイント１０２が割り振り表示を受け取っていなければ、アクセスポイント１０２は、ＳＤＭＡコンテンションウィンドウ３１０が閉じたかどうかの決定９０６へ戻る。もしアクセスポイント１０２が割り振り表示を受け取っていれば、アクセスポイント１０２は衝突が起こったかどうかを９１０で決定する。
【００８５】
もし衝突が起こっていれば、アクセスポイント１０２は９１２で衝突を処置する。一度、アクセスポイント１０２が９１２で衝突を処置すると、アクセスポイント１０２は、ＳＤＭＡコンテンションウィンドウ３１０が閉じたかどうかの決定９０６へ戻る。
【００８６】
もしアクセスポイント１０２が割り振り表示を受け取っており、衝突が起こっていなければ、アクセスポイント１０２は、９１４で、要求されたアップリンクＳＤＭＡ  ＴＸＯＰ３１２リソースを加入者局１０４へ割り振る。次いでアクセスポイント１０２は、ＳＤＭＡコンテンションウィンドウ３１０が閉じたかどうかの決定９０６へ戻る。
【００８７】
もしＳＤＭＡコンテンションウィンドウ３１０が閉じていれば、アクセスポイント１０２は、９１６で、アクセスポイント・フィードバック３４０を加入者局１０４へ送る。次いでアクセスポイント１０２は、９１８で、アップリンクＳＤＭＡ  ＴＸＯＰ３１２を開始する。アップリンクＳＤＭＡ  ＴＸＯＰ３１２が終了すると、アクセスポイント１０２は、９２０で、ブロックＡＣＫ３３６を加入者局１０４へ送る。次いでアクセスポイント１０２は、９０２で、境界画定表示３０２を加入者局１０４へ送る。
【００８８】
上記で説明された図９の方法９００は、図９ａで示される手段プラス機能ブロック９００ａに対応する様々なハードウェア及び／又はソフトウェアコンポーネント及び／又はモジュールによって達成される。言い換えれば、図９で示されるブロック９０２から９２０は、図９ａで示される手段プラス機能ブロック９０２ａに対応する。
【００８９】
図１０は、割り振り表示の受信後の肯定応答を用いる、保留アップリンクＳＤＭＡ  ＴＸＯＰ４１２の割り振りを可能にする別個のコンテンションウィンドウ４１０の方法１０００を示す流れ図である。アクセスポイント１０２は、１００２で、境界画定表示４０２を加入者局１０４へ送る。次いでアクセスポイント１０２は、１００４で、ＳＤＭＡコンテンションウィンドウ４１０を開始する。次いでアクセスポイント１０２は、ＳＤＭＡコンテンションウィンドウが閉じたかどうかを１００６で決定する。もしＳＤＭＡコンテンションウィンドウ４１０が閉じていなければ、アクセスポイント１０２は、アクセスポイント１０２が割り振り表示を受け取っているかどうかを１００８で決定する。もしアクセスポイント１０２が割り振り表示を受け取っていなければ、アクセスポイント１０２は、ＳＤＭＡコンテンションウィンドウ４１０が閉じたかどうかの決定１００６へ戻る。もしアクセスポイント１０２が割り振り表示を受け取っていれば、アクセスポイント１０２は衝突が起こったかどうかを１０１０で決定する。
【００９０】
もし衝突が起こっていれば、アクセスポイント１０２は１０１２で衝突を処置する。一度、アクセスポイント１０２が１０１２で衝突を処置すると、アクセスポイント１０２はＳＤＭＡコンテンションウィンドウ４１０が閉じたかどうかの決定１００６へ戻る。
【００９１】
もしアクセスポイント１０２が割り振り表示を受け取っており、衝突が起こっていなければ、アクセスポイント１０２は、１０１４で、アクセスポイント肯定応答（ＡＰ  ＡＣＫ）を加入者局１０４へ送る。次いでアクセスポイント１０２は、１０１６で、要求されたアップリンクＳＤＭＡ  ＴＸＯＰ４１２リソースを加入者局１０４へ割り振る。次いでアクセスポイント１０２は、ＳＤＭＡコンテンションウィンドウ４１０が閉じたかどうかの決定１００６へ戻る。
【００９２】
もしＳＤＭＡコンテンションウィンドウ４１０が閉じていれば、アクセスポイント１０２は、１０１８で、アップリンクＳＤＭＡ  ＴＸＯＰ４１２を開始する。アップリンクＳＤＭＡ  ＴＸＯＰ４１２が終了すると、アクセスポイント１０２は、１０２０で、ブロックＡＣＫ４３６を加入者局１０４へ送る。次いでアクセスポイント１０２は、１００２で、境界画定表示４０２を加入者局１０４へ送る。
【００９３】
上記で説明された図１０の方法１０００は、図１０ａで示される手段プラス機能ブロック１０００ａに対応する様々なハードウェア及び／又はソフトウェアコンポーネント及び／又はモジュールによって達成される。言い換えれば、図１０で示されるブロック１００２から１０２０までは、図１０ａで示される手段プラス機能ブロック１００２ａから１０２０ａまでに対応する。
【００９４】
図１１は、境界画定表示１１０２の様々なコンポーネントを示すブロック図である。境界画定表示１１０２は、コンテンションウィンドウ統計値１１０４、例えば、ＳＤＭＡコンテンションウィンドウの長さ、コンテンションウィンドウの最小及び最大の長さ、ＡＩＦＳ、及びＴｘ確率を含む。
【００９５】
境界画定表示１１０２は、コンテンションウィンドウのネットワーク割り振りベクトル（ＮＡＶ）１１０６を更に含む。ＮＡＶ１１０６は、どれほど長く媒体のアクセスを加入者局１０４が延期すべきかを表示する。更に、境界画定表示１１０２は、ＴＸＯＰ内のストリームの利用可能な数１１０８及びＴＸＯＰの示唆される持続時間１１１０を含む。最後に、境界画定表示１１０２はＢＳＳＩＤ１１１２を含む。ＢＳＳＩＤ１１１２は、オーバーラップするネットワークからの加入者局１０４が、保留ＳＤＭＡ  ＴＸＯＰについて競争することを防止する。一般的に、加入者局１０４は、ＢＳＳＩＤ１１１２に等しい受信機アドレス（ＲＡ）を有するＭＰＤＵへのアップリンクＳＤＭＡアクセスについてのみ競争すべきである。境界画定表示１１０２は、上記で論述されなかった多様な情報を含んでもよい。境界画定表示１１０２は、通常の８０２．１１ＭＰＤＵである。
【００９６】
図１２は、割り振り表示１２０２の様々なコンポーネントを示すブロック図である。割り振り表示１２０２は、意図された割り振り１２０４、ユニーク局識別子１２０６（ＢＳＳの中にある）、空間ストリームの数１２０８、要求された特定の空間ストリーム１２１０、変調符号化スキーム（ＭＣＳ）１２１２、及び巡回冗長検査（ＣＲＣ）１２１４のような情報を含む。割り振り表示１２０２送信は、短い送信であると仮定される。割り振り表示１２０２送信は、典型的なＷＬＡＮフレームよりも、はるかに短い。例えば、割り振り表示１２０２送信は、４マイクロ秒の時間を有する１記号の等級である。割り振り表示１２０２は、更に通常のＭＡＣ送信、例えば、制御フレーム、管理行動フレーム、又はこれらの間にあるフレームであってもよい。
【００９７】
割り振り表示１２０２は、少数の副搬送波のみを含む単純な信号ではなく、更にデータを含んでもよい。データを含むことの１つの利点は、データが巡回冗長検査（ＣＲＣ）１２１４を含み得ることである。これは高い信頼度で衝突を検出することを可能にする。割り振り表示１２０２データ信号を可能な限り短く保つため、多くのトレーニング状記号タイミング及びチャネル推定を必要とすることなくデータを復号し得ることが重要である。この要件を満たす１つの可能な割り振り表示１２０２信号設計は、データが副搬送波にまたがって異なるように符号化され、公知のＢＰＳＫ又はＱＰＳＫ位相を有する少数（４又は６）のパイロット副搬送波を含む２相位相変調（ＢＰＳＫ）又は４相位相変調（ＱＰＳＫ）を用いて、１つの直交周波数分割多重（ＯＦＤＭ）記号を送信することである。割り振り表示１２０２ＯＦＤＭ記号の保護時間は大きくされ、記号の持続時間がスロット全体を埋めるようにされる。
【００９８】
受信機は、次のステップを実行することによって、そのような記号を復号し得る。即ち、（１）スロットの開始時に自動利得制御（ＡＧＣ）を解決する、（２）Ｍサンプルの上で高速フーリエ変換（ＦＦＴ）を行う、（３）パイロット副搬送波にわたって線形位相傾斜を推定し、この線形位相傾斜について全てのデータ副搬送波を補正する、（４）副搬送波にわたって微分位相検出を行う、即ち、副搬送波ｉ−１の共役値で副搬送波ｉの複素サンプルを乗じ、初期参照値としては最初の副搬送波ｉ＝０を使用する、（５）ＢＰＳＫ又はＱＰＳＫスライシングを実行する、（６）ＣＲＣ１２１４検査を行い、データ内容を解釈する。割り振り表示１２０２は、ただ１つのＯＦＤＭ記号ではなく、複数のＯＦＤＭ記号から成り立ってもよい。これは、受信機が割り振り表示１２０２スロットの中で記号タイミングを行い、異なる割り振り表示１２０２記号の間の境界を決定しなければならないという点で、欠点を有する。
【００９９】
割り振り表示１２０２信号の目的は、コンテンション期間の後に特定のＳＤＭＡ空間ストリーム、複数の空間ストリーム、又は或る一定の直交周波数分割多元接続（ＯＦＤＭＡ）構成へマップされる数を合図することである。これは、利用可能な割り振り表示１２０２信号の集合が、ＳＤＭＡ及び／又はＯＦＤＭＡ構成の総数と少なくとも同じ大きさでなければならないことを意味する。構成の総数よりも大きい割り振り表示１２０２集合サイズを有する利点が存在する。というのは、これは衝突の検出又は低減を可能にするからである。スケジュールされないアクセスの場合、割り振り表示１２０２数からＳＤＭＡ／ＯＦＤＭＡ構成への固定マッピングが存在する。各構成に利用可能な複数の割り振り表示１２０２数が存在する場合、もし同じ構成を指す複数の割り振り表示１２０２をアクセスポイント１０２又は加入者局１０４が聴取するならば、衝突へ進行していることをアクセスポイント１０２又は加入者局１０４は知ることができる。この衝突検出能力は、前に説明したように、衝突表示を送信するために使用されてもよい。例えば、加入者局１０４が衝突表示を送信し得る。
【０１００】
スケジュールされたアクセスの場合、アクセスポイント１０２は、コンテンション期間に受け取られた割り振り表示１２０２値のグループを選択し、これをＳＤＭＡ／ＯＦＤＭＡ構成へマップする。このようにして、衝突の確率は、２つの加入者局１０４が同じ割り振り表示１２０２を同じスロットで送信することを開始する確率へ低減される。
【０１０１】
割り振り表示１２０２信号は、１つのスロット内に適合するように十分短い。アクセスポイント１０２又は加入者局１０４が１つのスロット内で複数の割り振り表示１２０２信号の存在を検出できるように、ゼロ又は低い相互相関を有する或る一定数の異なる割り振り表示１２０２信号が存在しなければならない。これは雑音及びマルチパス伝搬の存在において行われるべきである。割り振り表示１２０２の検出は可能な限り単純であるべきである。というのは、拡張プリアンブルトレーニングの時間は存在しないからである。
【０１０２】
割り振り表示１２０２信号集合の１つの可能な選択は、Ｎ副搬送波からのＫのＯＦＤＭＡベース集合を使用することである。ここで、ＮはＯＦＤＭ副搬送波の最大数であり、Ｋ＜Ｎは各割り振り表示１２０２によって使用される副搬送波の数である。例えば、Ｎ＝１１４副搬送波を有する８０２．１１ｎ  ４０ＭＨｚチャネルの場合を考える。この場合の１つの可能な割り振り表示１２０２信号集合は、３８の可能な割り振り表示１２０２信号が存在するようにＫ＝３を選ぶことである。ここで、割り振り表示１２０２信号数ｉは副搬送波（３８ｎ＋ｉ）ｍｏｄ（１１４）で送信を行う。ｎ＝｛０，１，２｝及びｉ＝｛０，１，．．．，３７｝である。こうして、割り振り表示１２０２数０は副搬送波｛０，３８，７６｝で送信を行う。一般的に、割り振り表示１２０２信号数ｉは、副搬送波（Ｎｎ／Ｋ＋ｉ）ｍｏｄＮで送信を行う。割り振り表示１２０２信号を周波数フェージングに対して一層ロバストにするため、Ｋトーンのインタリーブが行われる。より大きいＫ値を選ぶことは、利用可能な信号の総数を低減するというコストで、割り振り表示１２０２信号を周波数フェージングに対して一層ロバストにすることを助ける。
【０１０３】
割り振り表示１２０２信号を受け取るため、各加入者局１０４は各スロットの開始時に加入者局１０４のＡＧＣを設定すべきである。これは実行に依存して１から２マイクロ秒を要する。この利得設定の後、最小のＭサンプルが収集されるべきである。ここでＭはＮよりも大きくＮに最も近い２の累乗である。例えば、Ｎ＝１１４の場合、Ｍ＝１２８である。次いで受信機はＭサンプルの上でＦＦＴを実行し、どの副搬送波が使用され、どの副搬送波が使用されないかを決定する。或る一定の割り振り表示１２０２が存在するか否かを決定するため、受信機は全ての可能な割り振り表示１２０２信号についてＫ副搬送波電力を合計し、この電力値を、或る検出閾値によって乗じられた推定雑音電力レベルと比較する。
【０１０４】
図１３は、無線デバイス１３０１の中に含まれる或る一定のコンポーネントを示す。無線デバイス１３０１は、加入者局１０４又はアクセスポイント１０２であってもよい。
【０１０５】
無線デバイス１３０１はプロセッサ１３０３を含む。プロセッサ１３０３は、汎用の単一又は複数チップマイクロプロセッサ（例えば、ＡＲＭ）、専用マイクロプロセッサ（例えば、ディジタル信号プロセッサ（ＤＳＰ））、マイクロコントローラ、プログラマブル・ゲート・アレイなどである。プロセッサ１３０３は中央演算処理装置（ＣＰＵ）と呼ばれる。図１３の無線デバイス１３０１の中には単一のプロセッサ１３０３が示されるが、代替の構成では、プロセッサの組み合わせ（例えば、ＡＲＭとＤＳＰ）が使用され得る。
【０１０６】
無線デバイス１３０１は、メモリ１３０５を更に含む。メモリ１３０５は、電子情報を記憶できる任意の電子部品である。メモリ１３０５は、ランダム・アクセス・メモリ（ＲＡＭ）、読み出し専用メモリ（ＲＯＭ）、磁気ディスク記憶媒体、光記憶媒体、ＲＡＭ内のフラッシュ・メモリ・デバイス、プロセッサと一緒に含まれるオンボードメモリ、ＥＰＲＯＭメモリ、ＥＥＰＲＯＭメモリ、レジスタ、その他として体現され、これらの組み合わせを含む。
【０１０７】
データ１３０７及び命令１３０９は、メモリ１３０５の中に記憶される。命令１３０９は、本明細書で開示された方法を実行するためプロセッサ１３０３によって実行可能である。命令１３０９の実行は、メモリ１３０５に記憶されたデータ１３０７の使用を伴う。
【０１０８】
無線デバイス１３０１は、送信機１３１１及び受信機１３１３を更に含み、無線デバイス１３０１と遠隔場所との間の信号の送信及び受信を可能にする。送信機１３１１及び受信機１３１３は、まとめてトランシーバ１３１５と呼ばれる。アンテナ１３１７は、トランシーバ１３１５へ電気的に結合される。無線デバイス１３０１は、複数の送信機、複数の受信機、複数のトランシーバ、及び／又は複数のアンテナを含んでもよい（図示されていない）。
【０１０９】
無線デバイス１３０１の様々なコンポーネントは、１つ又は複数のバスによって一緒に結合される。バスは、電力バス、制御信号バス、ステータス信号バス、データバスなどを含む。明瞭にするため、図１３において、様々なバスはバスシステム１３１９として示される。
【０１１０】
本明細書で説明された手法は、様々な通信システムで使用される。これらの通信システムは、直交多重化スキームに基づく通信システムを含む。そのような通信システムの例は、直交周波数分割多元接続（ＯＦＤＭＡ）システム、単一搬送波周波数分割多元接続（ＳＣ−ＦＤＭＡ）システムなどを含む。ＯＦＤＭＡシステムは直交周波数分割多重化（ＯＦＤＭ）を利用する。ＯＦＤＭは、システム帯域幅全体を複数の直交副搬送波へ区分する変調手法である。これらの副搬送波は、更にトーン、ビンなどと呼ばれる。ＯＦＤＭの場合、各副搬送波は、データを用いて独立に変調される。ＳＣ−ＦＤＭＡシステムは、システム帯域幅にわたって分散された副搬送波の上で送信するインタリーブドＦＤＭＡ（ＩＦＤＭＡ）、隣接副搬送波の１つのブロックの上で送信する局所化ＦＤＭＡ（ＬＦＤＭＡ）、又は隣接副搬送波の複数のブロックの上で送信する強化ＦＤＭＡ（ＥＦＤＭＡ）を利用する。一般的に、変調記号は、ＯＦＤＭの場合には周波数定義域で送られ、ＳＣ−ＦＤＭＡの場合には時間定義域で送られる。
【０１１１】
上記の説明において、ときには参照番号が様々な用語と併せて使用された。用語が参照番号と併せて使用される場合、これは１つ又は複数の図面で示される特定の要素を指すことを意味する。用語が参照番号なしで使用される場合、これは特定の図面へ限定されない用語を一般的に指すことを意味する。
【０１１２】
「決定」の用語は多様な行動を包含する。従って、「決定」は計算、コンピューティング、処理、誘導、調査、ルックアップ（例えば、テーブル、データベース、又は他のデータ構造のルックアップ）、確認などを含み得る。更に、「決定」は、受け取り（例えば、情報の受け取り）、アクセス（例えば、メモリ内のデータのアクセス）などを含み得る。更に、「決定」は解決、選択、選び、確立などを含み得る。
【０１１３】
「基づく」の語句は、そうであることを明示されない限り、「のみに基づく」ことを意味しない。言い換えれば、「基づく」の語句は、「のみに基づく」及び「少なくとも基づく」の双方を記述する。
【０１１４】
「プロセッサ」の用語は広く解釈されるべきであり、汎用プロセッサ、中央演算処理装置（ＣＰＵ）、マイクロプロセッサ、ディジタル信号プロセッサ（ＤＳＰ）、コントローラ、マイクロコントローラ、状態機械などを包含する。幾つかの状況では、「プロセッサ」は特定用途集積回路（ＡＳＩＣ）、プログラマブル・ロジック・デバイス（ＰＬＤ）、フィールド・プログラマブル・ゲート・アレイ（ＦＰＧＡ）などを意味する。「プロセッサ」の用語は、処理デバイスの組み合わせ、例えば、ＤＳＰとマイクロプロセッサとの組み合わせ、複数のマイクロプロセッサ、ＤＳＰコアと結合した１つ又は複数のマイクロプロセッサ、又は他のそのような構成を意味してもよい。
【０１１５】
「メモリ」の用語は広く解釈されるべきであり、電子情報を記憶できる任意の電子コンポーネントを包含する。メモリの用語は、様々なタイプのプロセッサ読み取り可能媒体、例えば、ランダム・アクセス・メモリ（ＲＡＭ）、読み出し専用メモリ（ＲＯＭ）、不揮発性ランダム・アクセス・メモリ（ＮＶＲＡＭ）、プログラマブル読み出し専用メモリ（ＰＲＯＭ）、消去可能プログラマブル読み出し専用メモリ（ＥＰＲＯＭ）、電気的消去可能ＰＲＯＭ（ＥＥＰＲＯＭ）、フラッシュメモリ、磁気又は光データ記憶装置、レジスタなどを意味する。もしプロセッサがメモリから情報を読み出し、及び／又はメモリへ情報を書き込むことができるならば、メモリはプロセッサと電子的に通信すると言われる。プロセッサと一体化されたメモリは、プロセッサと電子的に通信する。
【０１１６】
「命令」及び「コード」の用語は広く解釈されるべきであり、任意のタイプのコンピュータ読み取り可能ステートメントを含む。例えば、「命令」及び「コード」の用語は、１つ又は複数のプログラム、ルーチン、サブルーチン、関数、手順などを意味する。「命令」及び「コード」は、単一のコンピュータ読み取り可能ステートメント又は多くのコンピュータ読み取り可能ステートメントを備える。
【０１１７】
本明細書で説明された機能は、ハードウェア、ソフトウェア、ファームウェア、又はこれらの組み合わせで実行される。もしソフトウェアで実行されるならば、機能はコンピュータ読み取り可能媒体に１つ又は複数の命令として記憶される。「コンピュータ読み取り可能媒体」の用語は、コンピュータによってアクセスされ得る任意の利用可能な媒体を意味する。例を挙げれば、非限定的に、コンピュータ読み取り可能媒体は、ＲＡＭ、ＲＯＭ、ＥＥＰＲＯＭ、ＣＤ−ＲＯＭ又は他の光ディスク記憶装置、磁気ディスク記憶装置又は他の磁気記憶デバイス、又は命令又はデータ構造の形式で所望のプログラムコードを搬送又は記憶するために使用可能な、コンピュータによってアクセスされ得る任意の他の媒体を備える。本明細書で使用される場合のｄｉｓｋ及びｄｉｓｃは、コンパクトディスク（ＣＤ）、レーザディクス、光ディスク、ディジタル多用途ディスク（ＤＶＤ）、フロッピー（登録商標）ディスク、及びＢｌｕ−ｒａｙ（登録商標）ディスクを含む。ここで、ｄｉｓｋは、通常、データを磁気的に再生し、ｄｉｓｃはレーザを用いてデータを光学的に再生する。
【０１１８】
ソフトウェア又は命令は、更に、伝送媒体を介して伝送される。例えば、もしソフトウェアが、同軸ケーブル、光ファイバケーブル、対より線、ディジタル加入者線（ＤＳＬ）、又は無線技術、例えば、赤外線、無線、及びマイクロ波を使用してウェブサイト、サーバ、又は他の遠隔源から伝送されるならば、同軸ケーブル、光ファイバケーブル、対より線、ＤＳＬ、又は無線技術、例えば、赤外線、無線、及びマイクロ波は伝送媒体の定義の中に含まれる。
【０１１９】
本明細書で開示された方法は、説明された方法を達成するための１つ又は複数のステップ又は行動を備える。方法ステップ及び／又は行動は、特許請求の範囲から逸脱することなく相互に交換されてもよい。言い換えれば、ステップ又は行動の特定の順序が、説明されている方法の適正な動作に必要とされない限り、特定のステップ及び／又は行動の順序及び／又は使用は、特許請求の範囲から逸脱することなく修正されてもよい。
【０１２０】
更に、本明細書で説明された方法及び手法、例えば、図８、図９、及び図１０によって示された方法及び手法を達成するモジュール及び／又は他の適当な手段は、デバイスによってダウンロード及び／又は取得され得ることを了解すべきである。例えば、デバイスは、本明細書で説明された方法を達成する手段の転送を容易にするため、サーバへ結合される。代替として、本明細書で説明された様々な方法は、記憶手段（例えば、ランダム・アクセス・メモリ（ＲＡＭ）、読み出し専用メモリ（ＲＯＭ）、物理記憶媒体、例えば、コンパクトディスク（ＣＤ）又はフロッピー（登録商標）ディスクなど）を介して提供可能であり、デバイスは、記憶手段をデバイスへ結合又は提供したとき、様々な方法を取得する。更に、本明細書で説明された方法及び手法をデバイスへ提供する他の適切な手法が利用され得る。
【０１２１】
上記で示された構成及びコンポーネントと完全同一の構成及びコンポーネントへ特許請求の範囲が限定されるのではないことを理解すべきである。本明細書で説明されたシステム、方法、及び装置の配列、動作、及び詳細部分において、特許請求の範囲から逸脱することなく様々な修正、変更、及び変形が行われてもよい。
下記に出願時の請求項１−３５に対応する記載を付記１−３５として表記する。
付記１
無線デバイスによって実行される、アップリンク空間分割多元接続（ＳＤＭＡ）送信機会（ＴＸＯＰ）を提供する方法であって、
１つ又は複数の加入者局へ境界画定表示を送ることと、
ＳＤＭＡコンテンションウィンドウを開始することと、
割り振り表示を受け取ることと、
前記割り振り表示に従って、要求されたアップリンクＳＤＭＡ ＴＸＯＰリソースを割り振ることと、
を備える、方法。
付記２
前記ＳＤＭＡコンテンションウィンドウで衝突を処置することを更に備える、付記１に記載の方法。
付記３
前記ＳＤＭＡコンテンションウィンドウが終了した後にアップリンクＳＤＭＡ ＴＸＯＰを開始することを更に備える、付記１に記載の方法。
付記４
ブロックＡＣＫを前記加入者局へ送ることを更に備える、付記３に記載の方法。
付記５
前記ＳＤＭＡコンテンションウィンドウが終了した後にフィードバックを前記加入者局へ送ることを更に備える、付記１に記載の方法。
付記６
前記フィードバックが前記加入者局へ送られた後にアップリンクＳＤＭＡ ＴＸＯＰを開始することを更に備える、付記５に記載の方法。
付記７
前記フィードバックはＳＤＭＡ ＴＸＯＰの割り振りを含む、付記５に記載の方法。
付記８
前記割り振り表示を受け取った後にＡＣＫを送ることを更に備える、付記１に記載の方法。
付記９
前記無線デバイスは電気電子技術者協会（ＩＥＥＥ）８０２．１１標準をサポートする、付記１に記載の方法。
付記１０
アップリンク空間分割多元接続（ＳＤＭＡ）送信機会（ＴＸＯＰ）を提供するように構成された無線デバイスであって、
プロセッサと、
前記プロセッサへ結合された回路と、
を備え、
前記回路は、
１つ又は複数の加入者局へ境界画定表示を送り、
ＳＤＭＡコンテンションウィンドウを開始し、
割り振り表示を受け取り、
前記割り振り表示に従って、要求されたアップリンクＳＤＭＡ ＴＸＯＰリソースを割り振る
ように構成された、無線デバイス。
付記１１
前記回路は、前記ＳＤＭＡコンテンションウィンドウで衝突を処置するように更に構成された、付記１０に記載の無線デバイス。
付記１２
前記回路は、前記ＳＤＭＡコンテンションウィンドウが終了した後にアップリンクＳＤＭＡ ＴＸＯＰを開始するように更に構成された、付記１０に記載の無線デバイス。
付記１３
前記回路は、ブロックＡＣＫを前記加入者局へ送るように更に構成された、付記１２に記載の無線デバイス。
付記１４
前記回路は、前記ＳＤＭＡコンテンションウィンドウが終了した後にフィードバックを前記加入者局へ送るように更に構成された、付記１０に記載の無線デバイス。
付記１５
前記回路は、前記フィードバックが前記加入者局へ送られた後にアップリンクＳＤＭＡ ＴＸＯＰを開始するように更に構成された、付記１４に記載の無線デバイス。
付記１６
前記フィードバックはＳＤＭＡ ＴＸＯＰの割り振りを含む、付記１４に記載の無線デバイス。
付記１７
前記回路は、割り振り表示を受け取った後にＡＣＫを送るように更に構成された、付記１０に記載の無線デバイス。
付記１８
電気電子技術者協会（ＩＥＥＥ）８０２．１１標準をサポートする、付記１０に記載の無線デバイス。
付記１９
アップリンク空間分割多元接続（ＳＤＭＡ）送信機会（ＴＸＯＰ）を提供するように構成された装置であって、
１つ又は複数の加入者局へ境界画定表示を送る手段と、
ＳＤＭＡコンテンションウィンドウを開始する手段と、
割り振り表示を受け取る手段と、
前記割り振り表示に従って、要求されたアップリンクＳＤＭＡ ＴＸＯＰリソースを割り振る手段と、
を備える、装置。
付記２０
コンピュータ読み取り可能媒体を備え、アップリンク空間分割多元接続（ＳＤＭＡ）送信機会（ＴＸＯＰ）を提供するコンピュータ・プログラム・プロダクトであって、前記コンピュータ読み取り可能媒体は、この上に命令を有し、前記命令は、
１つ又は複数の加入者局へ境界画定表示を送るコードと、
ＳＤＭＡコンテンションウィンドウを開始するコードと、
割り振り表示を受け取るコードと、
前記割り振り表示に従って、要求されたアップリンクＳＤＭＡ ＴＸＯＰリソースを割り振るコードと、
を備える、コンピュータ・プログラム・プロダクト。
付記２１
アップリンク空間分割多元接続（ＳＤＭＡ）送信機会（ＴＸＯＰ）を提供する方法であって、
割り振り表示を受け取ることと、
前記割り振り表示に従って、要求されたアップリンクＳＤＭＡ ＴＸＯＰリソースを割り振ることと、
を備える、方法。
付記２２
アップリンク空間分割多元接続（ＳＤＭＡ）送信機会（ＴＸＯＰ）を提供するように構成された無線デバイスであって、
プロセッサと、
前記プロセッサへ結合された回路と、
を備え、
前記回路は、
割り振り表示を受け取り、
前記割り振り表示に従って、要求されたアップリンクＳＤＭＡ ＴＸＯＰリソースを割り振る
ように構成された、無線デバイス。
付記２３
アップリンク空間分割多元接続（ＳＤＭＡ）送信機会（ＴＸＯＰ）を提供するように構成された装置であって、
割り振り表示を受け取る手段と、
前記割り振り表示に従って、要求されたアップリンクＳＤＭＡ ＴＸＯＰリソースを割り振る手段と、
を備える、装置。
付記２４
コンピュータ読み取り可能媒体を備え、アップリンク空間分割多元接続（ＳＤＭＡ）送信機会（ＴＸＯＰ）を提供するコンピュータ・プログラム・プロダクトであって、前記コンピュータ読み取り可能媒体は、この上に命令を有し、前記命令は、
割り振り表示を受け取るコードと、
前記割り振り表示に従って、要求されたアップリンクＳＤＭＡ ＴＸＯＰリソースを割り振るコードと、
を備える、コンピュータ・プログラム・プロダクト。
付記２５
無線デバイスによって実行される、アップリンク空間分割多元接続（ＳＤＭＡ）送信機会（ＴＸＯＰ）を提供する方法であって、
アップリンクＳＤＭＡ要求（ＵＳＲ）を受け取ることと、
前記ＵＳＲに従って、要求されたアップリンクＳＤＭＡ ＴＸＯＰリソースを割り振ることと、
前記ＵＳＲフレームに応答してＡＣＫフレームを送ることと、
を備える、方法。
付記２６
十分なリソースが割り振られたときアップリンクＳＤＭＡ ＴＸＯＰを開始することを更に備える、付記２５に記載の方法。
付記２７
十分な時間が満了したときアップリンクＳＤＭＡ ＴＸＯＰを開始することを更に備える、付記２５に記載の方法。
付記２８
割り振りフレームを送ることによってアップリンクＳＤＭＡ ＴＸＯＰを開始することを更に備える、付記２５に記載の方法。
付記２９
割り振りフレームを前記ＡＣＫフレームへ統合することによってアップリンクＳＤＭＡ ＴＸＯＰを開始することを更に備える、付記２５に記載の方法。
付記３０
ＡＣＫフレームを送った後の短いフレーム間スペース（ＳＩＦＳ）で割り振りフレームを送ることによってアップリンクＳＤＭＡ ＴＸＯＰを開始することを更に備える、付記２５に記載の方法。
付記３１
前記ＵＳＲフレームはＲＴＳフレームであり、前記ＡＣＫフレームはＣＴＳフレームである、付記２５に記載の方法。
付記３２
無線デバイスによって実行される、アップリンク空間分割多元接続（ＳＤＭＡ）送信機会（ＴＸＯＰ）を提供する方法であって、
アップリンクＳＤＭＡ要求（ＵＳＲ）を送信することと、
前記ＵＳＲフレームに応答してＡＣＫフレームを受け取ることと、
割り振りフレームを受け取ることと、
前記割り振りフレームに従ってアップリンクデータを送信することと、
を備える、方法。
付記３３
ＵＳＲフレームに応答してＡＣＫが受け取られたときバックオフを停止することを更に備える、付記３２に記載の方法。
付記３４
アップリンクＳＤＭＡ ＴＸＯＰが起こった後にバックオフを再開することを更に備える、付記３３に記載の方法。
付記３５
ＵＳＲフレームが送信された後にバックオフを再開することを更に備える、付記３２に記載の方法。
【図１】
0005453418.tif 000002
【図２】
0005453418.tif 000003
【図３】
0005453418.tif 000004
【図４】
0005453418.tif 000005
【図５】
0005453418.tif 000006
【図６】
0005453418.tif 000007
【図７】
0005453418.tif 000008
【図８】
0005453418.tif 000009
【図８ａ】
0005453418.tif 000010
【図９】
0005453418.tif 000011
【図９ａ】
0005453418.tif 000012
【図１０】
0005453418.tif 000013
【図１０ａ】
0005453418.tif 000014
【図１１】
0005453418.tif 000015
【図１２】
0005453418.tif 000016
【図１３】
0005453418.tif 000017